(57)【要約】【課題】住宅などの空間の空気を入れ替えるために使用される換気扇および送風装置において、吸込みベルマウス近傍に段差を有しても、送風能力の向上や静圧付加時の騒音を低減できる送風装置および換気扇を提供することを目的としている。【解決手段】液滴収集の為の上流側段差８と油受け部９を設けた前パネル６を取り付ける換気扇本体１の前パネル６に、凹部１０が設けられた吸込みベルマウス部５を備え、吸込みベルマウス部５と軸流羽根車３による送風装置を構成したので、メンテナンスが容易で、かつ送風能力の向上や静圧付加時の騒音を低減できる換気扇が得られる。【選択図】図１
2010091167.tif 000002
【特許請求の範囲】
【請求項１】
羽根車と吸込み口を形成する吸込みベルマウスと、前記吸込みベルマウスに接続して前記羽根車の上流下流を仕切る略平面形状を有する外郭を備え、前記吸込みベルマウスと前記外郭との面の変曲部の近傍に上流側段差を有する送風装置において、前記吸込みベルマウスの面が低圧域を生じさせる構造であることを特徴とした送風装置。
【請求項２】
吸込みベルマウスの任意の周方向断面線の上流端と下流端の間で、羽根車軸に向かって凹形状を設けることで低圧域を生じることを特徴とした請求１に記載の送風装置。
【請求項３】
凹形状の周方向断面が略三角形の凹みであることを特徴とした請求項２に記載の送風装置。
【請求項４】
吸込みベルマウスの任意の周方向断面線の一部が羽根車軸に向う滑らかな２つの円弧からなる２つの凸形状を有し、前記凸形状の接続点が凹形状の頂点となることを特徴とした請求項２または３に記載の送風装置。
【請求項５】
２箇所の凸形状部ののそれぞれに周方向断面線の内側で接する直線を基準線として、前記基準線と凹形状となる接続点との距離が、上流側段差の高さよりも小さくしたことを特徴とした請求項４に記載の送風装置。
【請求項６】
吸込みベルマウス下流端に直線部を有することを特徴とした請求項２から５のいずれかに記載の送風装置。
【請求項７】
前記吸込みベルマウスが、周方向断面線において、上流側段差に下流側で接続する吸込みベルマウスの第一の円弧部と、前記第一の円弧部と下流側で略三角形状の凹部をなして接続する第二の円弧部と、前記第二の円弧部と正接して羽根車軸と平行となる直線部から構成され、前記第一の円弧部の軸方向距離をＬ１、前記第二の円弧部の軸方向距離をＬ２、前記直線部の軸方向距離をＬ３としたときに、Ｌ１＜Ｌ２＋Ｌ３となることを特徴とした請求項６に記載の送風装置。
【請求項８】
上流側段差が外郭の補強リブであることを特徴とした請求項１から７のいずれかに記載の送風装置。
【請求項９】
上流側段差が吸込みベルマウスに付着した液滴を下部に導く捕集溝である請求項１から７のいずれかに記載の送風装置。
【請求項１０】
羽根車が軸流羽根車であることを特徴とした請求項１から９のいずれかに記載の送風装置。
【請求項１１】
吸込みベルマウスに接続して下流側に向かって径が拡大する吹出しベルマウスを備えたことを特徴とした請求項１０に記載の送風装置。
【請求項１２】
請求項１から１１のいずれかに記載の送風装置と、羽根車を回転させる電動機と、これらを接続して壁面への取り付け箇所となる枠体とから構成されることを特徴とした換気扇。
【請求項１３】
吸込み側にパンチングパネルなどの洗浄可能なフィルタを取り付けたことを特徴とした請求項１２に記載の換気扇。
【請求項１４】
吸込み側に不織布などの交換可能なフィルタを取り付けたことを特徴とした請求項１２に記載の換気扇。
【請求項１５】
換気扇内部の目隠しとなるパネルを吸込み側に隙間を設けて取り付けたことを特徴とした請求項１２に記載の換気扇。
【発明の詳細な説明】
【技術分野】
【０００１】
本発明は、住宅壁面に設置されて効率良く低騒音で換気を行うために使用される換気扇と、これに用いられ、送風能力の向上や静圧付加時の騒音低減が求められる送風装置に関するものである。
【背景技術】
【０００２】
従来、この種の換気扇は、送風装置を枠体に固定して、枠体形状にくりぬいた壁面（天井面含む）に設置し、汚れ防止や、内部を目隠しすることでインテリア性を高めたりする場合には前面にフィルタや化粧パネルを取り付けたものが知られてり、このときの送風装置として換気扇からの騒音発生を抑えることのできる送風装置が用いられてきた。（例えば、特許文献１参照）。
【０００３】
以下、その送風装置と換気扇について図８を参照しながら説明する。
【０００４】
図に示すように、換気扇本体１０１は角筒型の枠体にモータ（図示せず）、ファン１０２、開閉シャッタ等を組み付けてなる。この換気扇本体１０１の前面には上記ファン１０２の臨む通風路を形成する前パネル１０３が係脱可能に装着されている。そして、その前パネル１０３にフィルタの装着に関係する構成が付加され、枠体１０４にフィルタ素子１０５を一体に張設してなるフィルタ部材１０６が係脱可能に装着されている。なお、ここではモータとファン１０２と前パネル１０３により送風装置が構成され、これを関連部材を組み付けることで換気扇が構成されている。
【０００５】
上記構成において、ファン１０２の回転によって吸い込まれる空気の全てがフィルタ素子１０５を通過することになる。吸い込まれる空気に含まれる油液等はフィルタ素子１０５に捕集されフィルタ素子１０５に油汚れとなって油滴が付着する。流動性のある油汚れはフィルタ素子１０５を逐次下方へ流下してゆき最終的にはフィルタ部材１０６の下側部が受容されている油受けを兼ねた保持部材１０７に受容されることになる。
【０００６】
また、上記技術の他に、フィルタ部材１０６を備えない場合や、フィルタ部材１０６をインテリア性向上のためのスリット格子などの大きな隙間を有する化粧パネルとする場合には、前パネルと兼用した吸込み湾曲部の吸込みベルマウス近傍１０８に溝状の段差を備え、吸込みベルマウス下部中央１０９のみに油受けを設けることで、油滴の散乱を抑えて効果的に収集する技術が用いられる場合もある。
【特許文献１】特開平５−４４５７６号公報（図１）
【発明の開示】
【発明が解決しようとする課題】
【０００７】
このような従来の送風装置および換気扇では、メンテナンス性向上の為フィルタ部材やインテリア性向上のための化粧パネルを取り付けた場合には静圧の負荷がかかる場合や、屋外の風が強い場合で屋外圧が高い場合などの使用条件下では高静圧に耐えうる送風装置が用いられたが、この時に送風装置の必要仕事量増加に伴い騒音も増大するという課題があった。
【０００８】
また、液滴などの汚れに対応するためや、平面で構成されることが多い吸込みベルマウス周りの外郭を補強するためなどに、吸込みベルマウス近傍に段差を設けていたが、この段差が乱れを生じ、送風能力の低下や静圧付加時の騒音を増大させるという課題があった。
【０００９】
本発明は、このような従来の課題を解決するものであり、吸込みベルマウス近傍に段差を有しても、送風能力の向上や静圧付加時の騒音を低減できる送風装置および換気扇を提供することを目的としている。
【課題を解決するための手段】
【００１０】
本発明の送風装置は上記目的を達成するために、羽根車と吸込み口を形成する吸込みベルマウスと、前記吸込みベルマウスに接続して前記羽根車の上流下流を仕切る略平面形状を有する外郭を備え、前記吸込みベルマウスと前記外郭との面の変曲部の近傍に上流側段差を有する送風装置において、前記吸込みベルマウスの面が低圧域を生じさせる構造であることを特徴としたものである。
【００１１】
また他の手段は、吸込みベルマウスの任意の周方向断面線の上流端と下流端の間で、羽根車軸に向って凹部を設けることで低圧域を生じることを特徴としたものである。
【００１２】
また他の手段は、凹形状の周方向断面が略三角形の凹みであることを特徴としたものである。
【００１３】
また他の手段は、吸込みベルマウスの任意の周方向断面線の一部が羽根車軸に向う滑らかな２つの凸形状を形成する複数円弧からなる湾曲部を有し、２つの前記凸形状の接続点が前記凹形状の頂点となることを特徴としたものである。
【００１４】
また他の手段は、２箇所の凸形状のそれぞれに周方向断面線の内側で接する直線を基準線として、前記基準線と凹形状となる接続点との距離が、上流側段差の高さよりも小さくしたことを特徴としたものである。
【００１５】
また他の手段は、吸込みベルマウス下流端に直線部を有することを特徴としたものである。
【００１６】
また他の手段は、前記吸込みベルマウスが、周方向断面線において、上流側段差に接続する吸込みベルマウスの第一の円弧部と、前記第一の円弧部と下流側で略三角形状の凹部をなして接続する第二の円弧部と、前記第二の円弧部と正接して羽根車軸と平行となる直線部から構成され、前記第一の円弧部の軸方向距離をＬ１、前記第二の円弧部の軸方向距離をＬ２、前記直線部の軸方向距離をＬ３としたときに、Ｌ１＜Ｌ２＋Ｌ３となることを特徴としたものである。
【００１７】
また他の手段は、上流側段差が外郭の補強リブであることを特徴としたものである。
【００１８】
また他の手段は、上流側段差が吸込みベルマウスに付着した液滴を送風装置下部に導く捕集溝であることを特徴としたものである。
【００１９】
また他の手段は、羽根車が軸流羽根車であることを特徴としたものである。
【００２０】
また他の手段は、吸込みベルマウスに接続して下流側に向かって径が拡大する吹出し吸込みベルマウスを備えたことを特徴としたものである。
【００２１】
また本発明の換気扇は、羽根車と、羽根車を固定する電動機と、ベルマウスを有して外郭となる前パネルと、前記電動機と前記前パネルを固定する枠体から構成される換気扇であって、請求項１から１０のいずれかに記載の送風装置の構成を含むことを特徴としたものである。
【００２２】
また他の手段は、吸込み側にパンチングパネルなどの洗浄可能なフィルタを取り付けたことを特徴としたものである。
【００２３】
また他の手段は、吸込み側に不織布などの交換可能なフィルタを取り付けたことを特徴としたものである。
【００２４】
また他の手段は、換気扇内部の目隠しとなるパネルを吸込み側に隙間を設けて取り付けたことを特徴としたものである。
【発明の効果】
【００２５】
本発明によれば、吸込みベルマウス近傍に段差を有しても、送風能力を向上し、静圧付加時の騒音を低減した送風装置および換気扇が実現できる。
【発明を実施するための最良の形態】
【００２６】
本発明の請求項１記載の天井扇は、羽根車と吸込み口を形成する吸込みベルマウスと、前記吸込みベルマウスに接続して前記羽根車の上流下流を仕切る略平面形状を有する外郭を備え、前記吸込みベルマウスと前記外郭との面の変曲部の近傍に上流側段差を有する送風装置において、前記吸込みベルマウスの面が低圧域を生じさせる構造であることを特徴としたものであり、静圧付加時に、羽根車内で上流内側から下流外側へ向う流れに引き寄せられて吸込みベルマウス面から剥離しやすくなる、略平面形状部に付着して沿って流入する流れを、吸込みベルマウス面に低圧部を生じさせることでベルマウス面へ引き寄せて再付着させることで、送風能力の向上や静圧付加時の騒音低減が可能となる。
【００２７】
また請求項２記載の発明は、吸込みベルマウスの任意の周方向断面線の上流端と下流端の間で、羽根車軸に向って凹部を設けることで低圧域を生じることを特徴としたものであり、吸込みベルマウスに沿って流入してくる流れに対して吸込みベルマウス面の凹部により流入路が局所的に広がる形状となり、流路の急拡大から低圧域を生じて吸込みベルマウス面への流れの再付着を促し、送風能力の向上や静圧付加時の騒音低減が可能となる。
【００２８】
また請求項３記載の発明は、凹形状の周方向断面が略三角形の凹みであることを特徴としたものであり、角形状を設けて急激な流路変化を起こすことで流れの再付着の効果を大きくすることができ、送風能力の向上や静圧付加時の騒音低減が可能となる。
【００２９】
また請求項４記載の発明は、吸込みベルマウスの任意の周方向断面線の一部が羽根車軸に向う滑らかな２つの凸形状を形成する複数円弧からなる湾曲部を有し、２つの凸形状の接続点が凹形状の頂点となることを特徴としたものであり、凸形状を滑らかな形状とすることで上流段差以外の場所での流れの乱れを抑制し、送風能力の向上や騒音低減ができる。
【００３０】
また請求項５記載の発明は、２箇所の凸形状のそれぞれに周方向断面線の内側で接する直線を基準線として、基準線と凹形状となる接続点との距離が、上流側段差の高さよりも小さくしたことを特徴としたものであり、凹形状が上流側段差の影響よりも大きくなって過剰な効果による乱れの拡大を抑えることで、送風能力の向上や騒音低減の効果を適切に得ることが可能となる。
【００３１】
また請求項６記載の発明は、吸込みベルマウス下流端に直線部を有することを特徴としたものであり、吸込みベルマウス形状に沿って曲げられた流れを軸流羽根車直前で直線流れへ整流することで、羽根車の効率が向上し、送風能力の向上や騒音低減が可能となる。
【００３２】
また請求項７記載の発明は、前記吸込みベルマウスが、周方向断面線において、上流側段差に接続する吸込みベルマウスの第一の円弧部と、前記第一の円弧部と下流側で略三角形状の凹部をなして接続する第二の円弧部と、前記第二の円弧部と正接して羽根車軸と平行となる直線部から構成され、前記第一の円弧部の軸方向距離をＬ１、前記第二の円弧部の軸方向距離をＬ２、前記直線部の軸方向距離をＬ３としたときに、Ｌ１＜Ｌ２＋Ｌ３となることを特徴としたものであり、凹みによる低圧部の位置をベルマウス部の上流側段差よりに規定することによって、吸込み流れが剥離や乱れの小さい最適な流れに整流され、送風能力の向上や静圧付加時の騒音低減が可能となる。
【００３３】
また請求項８記載の発明は、上流側段差が外郭の補強リブであることを特徴としたものであり、ルマウス設置外郭面のたわみを押さえ、強度を増大させて、振動を抑制することで騒音低減が可能となる。
【００３４】
また請求項９記載の発明は、上流側段差が吸込みベルマウスに付着した液滴を送風装置下部に導く捕集溝であることを特徴としたものであり、微小液滴を含んだ気体の送風に利用する場合に遠心力で吸込みベルマウス面に付着して下方へ垂れる液滴に対して、溝に沿わせて送風装置下部で捕集することで送風装置のメンテナンス性を向上することが可能となる。
【００３５】
また請求項１０記載の発明は、羽根車が軸流羽根車であることを特徴としたものであり、より複雑な吸込みベルマウス面近傍流れを生じる軸流羽根車において、大きい整流効果を得ることができ、送風能力の向上や騒音低減の大きな効果を得ることが可能となり、また羽根車軸方向に送風したい場合に薄型構造とできる。
【００３６】
また請求項１１記載の発明は、吸込みベルマウスに接続して下流側に向かって径が拡大する吹出しベルマウスを備えたことを特徴としたものであり、軸流羽根車で開放空間へ吹出す場合に整流ガイドとなるので、羽根車の効率が向上し、送風能力の向上や騒音低減が可能となる。
【００３７】
また請求項１２記載の換気扇は、羽根車と、羽根車を固定する電動機と、ベルマウスを有して外郭となる前パネルと、前記電動機と前記前パネルを固定する枠体から構成される換気扇であって、請求項１から１０のいずれかに記載の送風装置の構成を含むことを特徴としたものであり、吸込みベルマウス面近傍の剥離や乱れの小さい最適流れへと整流できるので、送風能力が高く、騒音の低い換気扇とすることが可能となる。
【００３８】
また請求項１３記載の発明は、吸込み側にパンチングパネルなどの洗浄可能なフィルタを取り付けたことを特徴としたものであり、フィルタが換気扇内部への汚れの侵入を抑え、フィルタによる圧力の負荷がかかる仕様において、ベルマウス面近傍の剥離や乱れの小さい最適流れへの整流効果が大きくなるので、メンテナンス性が向上し、送風能力が高く、騒音の低い換気扇とすることが可能となる。
【００３９】
また請求項１４記載の発明は、吸込み側に不織布などの交換可能なフィルタを取り付けたことを特徴としたものであり、フィルタが換気扇内部への汚れの侵入を抑え、フィルタによる圧力の負荷がかかる仕様において、ベルマウス面近傍の剥離や乱れの小さい最適流れへの整流効果が大きくなるので、メンテナンス性が向上し、送風能力が高く、騒音の低い換気扇とすることが可能となる。
【００４０】
また請求項１５記載の発明は、換気扇内部の目隠しとなるパネルを吸込み側に隙間を設けて取り付けたことを特徴としたものであり、パネルにより換気扇内部が見えないフラットな概観となり、パネルによる圧力の負荷がかかる仕様において、ベルマウス面近傍の剥離や乱れの小さい最適流れへの整流効果が大きくなるので、パネルによる圧力の負荷がかかっても、ベルマウス面近傍の剥離や乱れの小さい最適流れへと整流できるので、インテリア性が向上し、送風能力が高く、騒音の低い換気扇とすることが可能となる。
【００４１】
以下、本発明の実施の形態について図面を参照しながら説明する。
【００４２】
（実施の形態１）
図１は実施の形態１における、本発明の送風装置を含んだ換気扇である。
【００４３】
図１に示すように、換気扇本体１は角筒型の枠体２にモータ（図示せず）、軸流羽根車３、羽根車の上流下流を仕切る略平面部としての平面部４と吸込みベルマウス部５を備えた送風装置において、その構成の外郭としての前パネル６を組み付けてなり、換気扇本体１を屋内外を仕切る壁面に据え付けて、室内側空間７の吸込み側に障害物のない開放された空間となる条件で使用される。ここで、前パネル６は、前パネルに沿う流れを乱さない程度の略平面形状となる平面部４と、吸込みベルマウス部５の曲面との変曲部に環状に沿う液滴を沿わせることが出来る程度の上流側段差８と、下部の油受け部９を備えており、吸込みベルマウス部５は曲面上に軸流羽根車３の外周に向かう低圧部を生じさせるための、上流側段差８の段差より小さい深さで周方向断面が略三角形となる凹部１０が設けられている。
【００４４】
上記構成において、モータにより回転される軸流羽根車３は、送風方向１１の向きに空気を送る。吸込みベルマウス部５があることで換気扇の送風効率を向上できるが、送風される空気は、例えば台所などでは油、水などの微小液滴を含むものもあり、これらが遠心力により羽根車外径方向へ飛ばされて吸込みベルマウス部５に液滴が付着する。付着した液滴は、吸込みベルマウス部５から上流側段差８に沿って流れ落ちて、油受け部９に収集されるので、平面部４を汚さずに換気扇下方への液滴の落下を防止でき、前パネルのみの取外し清掃ができメンテナンス性を向上できる。
【００４５】
また、羽根車内で上流内側から下流外側へ向う静圧付加時の流れにより、略平面形状部に付着して沿って流入する流れが内側に引き寄せられえて剥離しやすくなるが、本構成では、上流側段差８の下流側に凹部１０を備えることで、吸込みベルマウスに沿って流入してくる流れに対して凹部１０により流入路が局所的に広がる形状となり、流路の拡大から低圧部を生じるので、流れが低圧部に引き寄せられて吸込みベルマウス部５への流れの再付着を促す整流効果となり、剥離による乱れた流れが羽根車にあたることによる仕事量の低下や、乱れからおこる騒音発生を抑制するので、送風能力の向上や静圧付加時の騒音低減が可能となる。
【００４６】
また、羽根車として軸流羽根車３を使用した場合は、遠心力による羽根車外周での外向き流れと主流とが複雑に混ざるという理由で、より複雑な吸込みベルマウス面近傍流れを生じるので、ここでの剥離を抑制することでより大きい整流効果を得ることができ、送風能力の向上や騒音低減の大きな効果を得ることが可能となる。
【００４７】
また、図２は実施の形態１の吸込みベルマウス部５を備えた前パネル６の周方向断面と軸流羽根車３とモータ１２との位置概要を示している。
【００４８】
ここで、吸込みベルマウス部５の断面は、上流側段差８に下流側で接続する吸込みベルマウスの第一の円弧部１３と、前記第一の円弧部と下流側で略三角形状の凹部頂点１４をなして接続する第二の円弧部１５と、前記第二の円弧部と正接して羽根車軸１６と平行となる直線部１７から構成されている。
【００４９】
このとき、前記第一の円弧部の軸方向距離１８をＬ１、前記第二の円弧部の軸方向距離１９をＬ２、前記直線部の軸方向距離２０をＬ３とすると、Ｌ１＜Ｌ２＋Ｌ３となっており、例えば、吸込みベルマウス部５の最小半径位置２１の半径Ｒを２５０ｍｍとしたときは、Ｌ１＝０．１１Ｒ、Ｌ２＝０．１８Ｒ、Ｌ３＝０．０９Ｒ程度であり、上流側段差の高さ２４を５ｍｍ、第一の円弧部１３と第二の円弧部１５に接する基準線と凹部頂点１４との距離となる窪みは１ｍｍ程度となる。  なお、図２（ｂ）は凹部１０の拡大図であり、凹部の略三角形の凹み２２を示している。
【００５０】
この構成により、吸込みベルマウスの周方向断面線が２つの凸形状としての第一の円弧部１３と第二の円弧部１５を有し、第一の円弧部１３と第二の円弧部１５の接続点を凹部形状として凹部頂点１４とし、凸形状を羽根車軸１６に向う流れが乱れるような凹凸のない滑らかな形状となるので、上流段差以外の場所での流れの乱れを抑制して送風能力の向上や騒音低減が可能となる。
【００５１】
また、第一の円弧部１３と第二の円弧部１５のそれぞれに周方向断面線の内側で接する直線を基準線２３として、基準線２３と凹部頂点１４の距離を上流側段差の高さ２４よりも小さくして、凹形状が上流側段差の影響よりも大きくなって過剰な効果による乱れの拡大を抑えることで、送風能力の向上や騒音低減の効果を適切に得ることが可能となる。
【００５２】
また、吸込みベルマウス下流端に羽根車軸１６に平行な直線部１７を有することで、第一の円弧部１３と第二の円弧部１５に沿って曲げられた流れを軸流羽根車３の直前で直線流れへ整流して逆流などを抑えることで、羽根車の効率を向上させて、送風能力の向上や騒音低減が可能となる。
【００５３】
また、Ｌ１＜Ｌ２＋Ｌ３とすることで、凹みによる低圧部の位置をベルマウス部の上流側段差寄りに規定することになるので、吸込み流れが剥離や乱れの小さい最適な流れに整流され、送風能力の向上や静圧付加時の騒音低減が可能となる。
【００５４】
また、この凹部形状を外向きの略三角形の凹み２２としているので、流路変化を急激にできて低圧化の度合いが大きくなるので、流れの再付着の効果を大きくすることができ、送風能力の向上や静圧付加時の騒音低減が可能となる。なお、凹部の凹みは、第一の円弧部１３と第二の円弧部１５で形成され、凹みの底部に直線部（例えば数ｍｍ）があってもよく、２つの円弧は完全な円弧でなくても滑らかに正接されれば直線部を有する形状であっても、同様の効果を奏する。
【００５５】
よってこれらの効果の大きい本構成とすることで、吸込み流れが剥離や乱れの小さい最適な流れに整流され、送風能力の向上や静圧付加時の騒音低減が可能となり、一例として、図３に従来の送風装置と本発明の送風装置の性能比較を示す。
【００５６】
図３によれば、横軸は流量を無次元化した流量係数であり、縦軸左側は静圧を無次元化した静圧係数であり、縦軸左側は縦軸右側の騒音を単位風量と単位静圧あたりに換算した比騒音である。ここで、流量係数が小さいほど高くなる静圧係数については、本発明の送風装置の方が、流量係数の小さい領域で大きい静圧係数で静圧負荷時に向いた能力となり、比騒音についても流量計数が０．８以下程度で本発明の送風装置が低減できていることがわかる。
【００５７】
このように、本構成ではこのような送風装置で換気扇を構成しているので、ベルマウス面近傍の剥離や乱れの小さい最適流れへと整流できるので、メンテナンスが容易で、送風能力が高く、騒音の低い換気扇とすることが可能となる。
【００５８】
（実施の形態２）
図４は実施の形態２における換気扇の斜視図であり、実施の形態１と同一部分は同一符号を付し、詳細な説明は省略する。
【００５９】
図４に示すように換気扇本体１に取り付けつけて、吸込み流れの剥離を防止するための吸込みベルマウス部５を有する前パネル６に接続受け部２５を設け、換気扇本体１の上流側に、板金に２ｍｍ程度の多数の穴が空けられたパンチングパネルのフィルタ部２６を有する換気扇カバー２７を、換気扇カバーに備えられた接続部（図示せず）を接続受け部２５に接続することで、換気扇を構成する。
【００６０】
上記構成において、フィルタ部２６が換気扇内部への汚れの侵入を抑え、換気扇カバー２７を取り外してフィルタ部を容易に洗浄することができ、フィルタ部２６による圧力の負荷がかかる仕様において、吸込みベルマウス部５の近傍の剥離や乱れの小さい最適流れへの整流効果が大きくなるので、メンテナンス性が向上し、送風能力が高く、騒音の低い換気扇とすることが可能となる。
【００６１】
なお、実施の形態２ではパンチングパネルの穴を２ｍｍ程度としているが、５ｍｍ以下程度で流入空気の大きな異物の換気扇内への流入を防ぐ程度であればよい。
【００６２】
また、フィルタ部２６に小径の多数の穴が空けられたパンチングパネルを用いたが、保持具を介して不織布などの交換可能なフィルタを取り付けてもよく、この場合はフィルタを交換することで容易に換気扇の清掃が行なえ、フィルタによる圧力の負荷がかかる仕様において、吸込みベルマウス部５の近傍の剥離や乱れの小さい最適流れへの整流効果が大きくなるので、メンテナンス性が向上し、送風能力が高く、騒音の低い換気扇とすることが可能となる。
【００６３】
（実施の形態３）
図５は実施の形態３における換気扇の斜視図であり、実施の形態１〜２と同一部分は同一符号を付し、詳細な説明は省略する。
【００６４】
図５に示すように換気扇本体１に取り付けて、吸込み流れの剥離を防止するための吸込みベルマウス部５を有する前パネル６に接続受け部２５を設け、換気扇本体１の上流側に、実施の形態２のパンチングパネルの代わりとなる目隠しとなるパネル部２８を有する換気扇カバー２７を、換気扇カバーに備えられて換気扇本体１との流入隙間２９を確保できる大きさの接続部３０を接続受け部２５に接続することで、換気扇を構成する。
【００６５】
上記構成において、パネル部２８により換気扇内部が見えないフラットな概観となり、パネル部２８による圧力の負荷がかかる仕様において、ベルマウス面近傍の剥離や乱れの小さい最適流れへの整流効果が大きくなるので、狭い流入隙間２９となり送風抵抗がかかっても、吸込みベルマウス面近傍の剥離や乱れの小さい最適流れへと整流できるので、インテリア性が向上し、送風能力が高く、騒音の低い換気扇とすることが可能となる。
【００６６】
（実施の形態４）
図６は実施の形態４における換気扇の断面図であり、実施の形態１〜３と同一部分は同一符号を付し、詳細な説明は省略する。
【００６７】
図６は、上流側段差８と吸込みベルマウス部５と、吹出しベルマウス部３１を備えた前パネル６の周方向断面と軸流羽根車３とモータ１２との位置概要を示しており、図６に示すように、吸込みベルマウス部５は、羽根車軸１６に向かって凹部１０となる形状を有している。
【００６８】
上記構成において、上流側段差８により生じる剥離流れに対して、凹部１０により流路が拡大することで低圧部を生じて吸込みベルマウス部５への流れの再付着を促し、送風能力の向上や静圧付加時の騒音低減が可能となり、また、吸込みベルマウス部５に加えて吹出しベルマウス部３１を備えることで、軸流羽根車３で開放空間へ吹出す場合に、下流に向かって流路径が徐々に拡大する整流ガイドとなるので、軸流羽根車３の効率が向上し、送風能力の向上や騒音低減が可能となる。
【００６９】
なお、実施の形態４では、吹出しベルマウス部３１の曲率を吸込みベルマウス部５の曲率の半分程度の曲率であるが、換気扇を薄くしたい場合には曲率が小さかったり、羽根車軸１６方向の長さが短かったりしてもよく、曲率を大きくした、羽根車軸１６方向を長くした場合には、より送風能力の向上や騒音低減が可能となる。
【００７０】
（実施の形態５）
図７は実施の形態５における送風装置の斜視図である。
【００７１】
図７に示すように、送風装置３２は、多翼羽根車３３と、これを回転させるモータ（図示せず）と、多翼羽根車３３周りの吸込み口となる吸込みベルマウス部３４から吹出し口３５までの風路を形成するスクロールケーシング３６で構成され、スクロールケーシング３６には吸込み側の面に補強リブ３７を備え、吸込みベルマウス部３４には、羽根車軸に向かって凹部３８を備えている。
【００７２】
上記構成において、多翼羽根車３３の回転により、障害物のない開放された吸込み空間３９の空気は、吸込みベルマウス部３４に引き寄せられてスクロールケーシング３６内部の空気は遠心力により外側に送られた後、スクロールケーシング３６の曲流路により収集されて吹出し口３５から吹出される。
【００７３】
また、図７（ｂ）は吸込みベルマウス部３４近傍の周方向断面図であり、補強リブ３７と凹部３８の詳細を示している。
【００７４】
ここで、補強リブ３７を備えていることにより、ベルマウス設置外郭面となるケーシング上流面４０のたわみを押さえ、強度を増大させて、振動を抑制することで騒音低減が可能となり、ケーシング上流面４０をつたって吸込みベルマウス部３４に向かう流れが補強リブ３７により乱されて剥離流れを生じても、吸込みベルマウス部３４に凹部３８を有しているので、低圧部を生じて吸込みベルマウス部３４への流れの再付着を促し、送風能力の向上や静圧付加時の騒音低減が可能となる。
【産業上の利用可能性】
【００７５】
本発明にかかる送風装置及び換気扇は、上流に段差がある場合の送風能力の向上や静圧付加時の騒音を低減できるので、住宅などの空間の空気を入れ替える装置や、内部に冷却の必要がある発熱体を備える冷却装置や、内部の換気が必要な機器などで送風、換気の用途として利用され、他デバイスなどとの配置構成により上流側の吸込み面に凹凸を生じるような送風装置などの用途にも適用できる。
【図面の簡単な説明】
【００７６】
【図１】本発明の実施の形態１の換気扇の斜視図
【図２】本発明の実施の形態１の換気扇の周方向断面図
【図３】従来の送風装置と本発明の送風装置の性能比較を示すグラフ
【図４】本発明の実施の形態２の換気扇の斜視図
【図５】本発明の実施の形態３の換気扇の斜視図
【図６】本発明の実施の形態４の換気扇の断面図
【図７】本発明の実施の形態５の送風装置の斜視図
【図８】従来の換気扇を示す斜視図
【符号の説明】
【００７７】
１    換気扇本体
２    枠体
３    軸流羽根車
４    平面部
５    吸込みベルマウス部
６    前パネル
７    室内側空間
８    上流側段差
９    油受け部
１０  凹部
１１  送風方向
１２  モータ
１３  第一の円弧部
１４  凹部頂点
１５  第二の円弧部
１６  羽根車軸
１７  直線部
１８  第一の円弧部の軸方向距離
１９  第二の円弧部の軸方向距離
２０  直線部の軸方向距離
２１  最小半径位置
２２  略三角形の凹み
２３  基準線
２４  上流側段差の高さ
２５  接続受け部
２６  フィルタ部
２７  換気扇カバー
２８  パネル部
２９  流入隙間
３０  接続部
３１  吹出しベルマウス部
３２  送風装置
３３  多翼羽根車
３４  吸込みベルマウス部
３５  吹出し口
３６  スクロールケーシング
３７  補強リブ
３８  凹部
３９  吸込み空間
４０  ケーシング上流面
１０１  換気扇本体
１０２  ファン
１０３  前パネル
１０４  枠体
１０５  フィルタ素子
１０６  フィルタ部材
１０７  保持部材
１０８  吸込みベルマウス近傍
１０９  吸込みベルマウス下部中央
【図１】
2010091167.tif 000003
【図２】
2010091167.tif 000004
【図３】
2010091167.tif 000005
【図４】
2010091167.tif 000006
【図５】
2010091167.tif 000007
【図６】
2010091167.tif 000008
【図７】
2010091167.tif 000009
【図８】
2010091167.tif 000010